(57)【要約】【課題】  頭部から流れ出る汗も確実に吸収させることによって、着用者の不快感を可及的に解消し、化粧崩れなどを最小限に抑えることができる帽子を提供する。【解決手段】  庇２の後縁部に沿って立設される環状の帯状体３の内側に吸汗部材４を取付けるとともに、少なくとも前記帯状体３の上縁部を、前記吸汗部材４の上縁部を延出させて形成した吸汗帯５、もしくは吸汗部材４とは別個に形成した吸汗帯５によって覆うよう取付けてサンバイザー（帽子）１とする。【選択図】      図２
0003116679.tif 000002
【実用新案登録請求の範囲】
【請求項１】
額および頭部と当接するよう配置形成された帯状体を有する帽子において、
前記帯状体に吸汗部材を取付けるとともに、
前記帯状体の上縁部を吸汗部材によって覆うよう構成したこと
を特徴とする帽子。
【請求項２】
前記吸汗帯は、
前記帯状体の側面に着脱自在に設けた吸汗部材の、上縁部を延出させて形成されたものであること
を特徴とする請求項１に記載の帽子。
【請求項３】
前記吸汗帯は、
前記帯状体の側面に設けられる吸汗部材とは別個に形成され、前記帯状体の上縁部に着脱自在に取付けられるものであること
を特徴とする請求項１に記載の帽子。
【請求項４】
前記吸汗帯は、
その裏面に、両面接着テープもしくは係着用の鉤状小突起が設けられたものであること
を特徴とする請求項３に記載の帽子。
【考案の詳細な説明】
【技術分野】
【０００１】
この考案は、頭部から額を通じて流れ出る汗を効果的に吸収し、また、化粧などによる汚損を防止することのできる帽子に関するものである。
【背景技術】
【０００２】
顔面に当たる直射日光を遮るために使用されるサンバイザーにおいて、たとえば、実開平５−９４２３３号公報（特許文献１）においては、サンバイザーの皮膚当接面に汗止材を着脱した汗止付サンバイザーが提案されている。
【０００３】
また、登録実用新案第３０４９１６１号公報（特許文献２）においては、庇の後縁部に立設された帯状体の内側に、汗を吸収するための吸汗体を設けるとともに、この吸汗体にガード帯を着脱自在に装着し、額の化粧などが前記吸汗体に付着し汚すことを防止することのできるサンバイザーが提案されている。
【特許文献１】実開平  ５−９４２３３号公報  （請求項１、図１）
【特許文献２】登録実用新案登録第３０４９１６１号公報（請求項１、図１）
【考案の開示】
【考案が解決しようとする課題】
【０００４】
前記の特許文献１および同２に記載のサンバイザーは、いずれもサンバイザーを構成する庇の後縁部に沿って立設された帯状体の内側に、汗を吸収するための吸汗部材が付設されたもので、吸汗部材が当接する部位およびその周辺の汗は、効果的に吸収することが可能なものである。
【０００５】
しかしながら、額から滴り落ちてくる汗、すなわち、吸汗部材の上部から流れてくるような汗は、直接サンバイザーの帯状体を伝って鼻や頬まで流れ落ちてくるので、かかる経路を辿る汗を効果的に吸収することができないという問題がある。
【０００６】
この考案はかかる現状に鑑み、頭部から流れ出る汗も確実に吸汗部材に吸収させることによって、着用者の不快感を可及的に解消し、化粧崩れなどを最小限に抑えることができるサンバイザーを含む帽子を提供せんとするものである。
【課題を解決するための手段】
【０００７】
前記目的を達成するため、この考案の請求項１に記載の考案は、
額および頭部と当接するよう配置形成された帯状体を有する帽子において、
前記帯状体に吸汗部材を取付けるとともに、前記帯状体の上縁部を吸汗部材によって覆うよう構成したこと
を特徴とする帽子である。
【０００８】
また、この考案の請求項２に記載の考案は、
請求項１に記載の帽子において、
前記吸汗帯は、
前記帯状体の側面に着脱自在に設けた吸汗部材の、上縁部を延出させて形成されたものであること
を特徴とするものである。
【０００９】
また、この考案の請求項３に記載の考案は、
請求項１に記載の帽子において、
前記吸汗帯は、
前記帯状体の側面に設けられる吸汗部材とは別個に形成され、前記帯状体の上縁部に着脱自在に取付けられるものであること
を特徴とするものである。
【００１０】
また、この考案の請求項４に記載の考案は、
請求項３に記載の帽子において、
前記吸汗帯は、
その裏面に、両面接着テープもしくは係着用の鉤状小突起が設けられたものであること
を特徴とするものである。
【考案の効果】
【００１１】
この考案の帽子は、額および頭部と当接するよう配置形成された帯状体を有する帽子において、少なくとも前記帯状体の上縁部を、吸汗帯によって覆うよう構成されているので、吸汗部材と皮膚とが当接する部分の汗の吸収だけでなく、額から滴り落ちてくる汗に対しても、吸汗帯が吸汗作用を有するので、汗が鼻や頬まで流れ落ちることがなく、滴り落ちてきた汗を拭わなくても、汗が目に入ることがなく、また、化粧崩れを最小限に抑えることができるという優れた効果を有する。
【考案を実施するための最良の形態】
【００１２】
以下、この考案にかかる帽子を、添付の図面を参照しながら、詳細に説明するが、この考案は図示した実施例に限定されるものではなく、この考案の要旨を変更しない範囲内において種々変更を加えることが可能なものである。
【００１３】
この考案にかかる帽子の一例であるサンバイザー１は、図１に示されるように、直射日光から顔面を保護するための庇２と、この庇２の後縁部に沿って上方にほぼ鉛直に設けられた、庇２を頭部に固定するための環状の帯状体３と、この帯状体３の内側に着脱自在に装着された吸汗部材４とから構成されるものである。
【００１４】
この考案は、かかるサンバイザー１において、少なくとも前記帯状体３の上縁部３ａを吸汗帯５で被覆したもので、具体的には、図２で示すように、帯状体３の内側に設けられる吸汗部材４の上縁部を所要の長さだけ延出させ、延出させた部位で前記帯状体３の上縁部３ａを被覆して吸汗帯５としたものである。
なお、帯状体３の上縁部３ａを吸汗帯５で覆うに際しては、少なくとも上縁部３ａのみを覆うことができれば、所期の目的を達成することができるが、帯状体３の前面部の中程まで、あるいは前面部の全部を覆うことも可能なもので、吸汗帯５で覆う面積を広くすることによって、さらに効果を挙げることができるものである。
【００１５】
また、他の手段は、図３に示すように、少なくとも前記サンバイザー１の庇２に連続する帯状体３の上縁部３ａを十分にカバーすることのできる長さと、その一部が前記吸汗部材４の上縁部に重ね合わせることが可能な幅を有する帯状の吸汗帯５を、前記吸汗部材４とは別個に製作し、得た吸汗帯５の裏面に両面接着テープ（図示せず）の片面を貼着し、他の片面を、当該吸汗帯５が帯状体３の上縁部３ａを十分に被覆し、かつその一部が吸汗部材４の上縁部に重なり合うようにして、帯状体３の上縁部３ａと吸汗部材４の上縁部に貼着して固定するものである。
【００１６】
かかる吸汗部材４および吸汗帯５は、いずれも、たとえば、二つ折り又は袋状に形成された表面布製の、さらには、その内部に吸水性樹脂などを充填した、扁平でかつ帯状の公知のものを使用することができるものである。なお、別に製作する吸汗帯５は、前記帯状体３の上縁部３ａおよび吸汗部材４の上縁部に固定する必要があるので、前記のように裏面全体に両面接着テープを設けるか、あるいは鉤状小突起（図示せず）を形成し、この鉤状小突起を帯状体３の上縁部３ａおよび吸汗部材４の上縁部に係着させることによって固定することもできるので、固定手段については、特段の制限はないものである。
【００１７】
このように、サンバイザー１の帯状体３の内側以外にも、帯状体３の上縁部３ａをも吸汗帯５で覆うように構成したので、着用に際し、頭部などから汗が多量に流れ出たとしても、上縁部に設けられた吸汗帯５が汗を吸収するので、汗が鼻や頬まで流れ落ちることがない。
【００１８】
図４に示す実施例は、頭部を覆うキャップ主体を有する帽子１０の例を示すもので、キャップ主体１１の内側に、額および頭部と当接するよう帯状体１２を配置形成するとともに、この帯状体１２に、その上縁部１２ａを覆うようにして吸汗部材１３を着脱自在に取付けたものである。
【００１９】
なお、図示しないが、前記帯状体１２の上縁部１２とその近傍のみを図３で示すような吸汗帯５と同様の吸汗帯で覆うことも可能である。この場合、前記吸汗帯が額や頭部から流れ出る汗を吸収すると同時に、当該吸汗帯が化粧料などによって帽子の内部を汚損することを防止するものである。
【図面の簡単な説明】
【００２０】
【図１】この考案にかかる帽子の例であるサンバイザーの一例を示す斜視図である。
【図２】吸汗帯の一例を示す要部の拡大断面図である。
【図３】吸汗帯の他の例を示す要部の拡大断面図である。
【図４】この考案にかかる帽子の他の例を示す要部の拡大断面図である。
【符号の説明】
【００２１】
１、１１        帽子
２              庇
３、１２        帯状体
３ａ、１２ａ    帯状体の上縁部
４、１３        吸汗部材
５              吸汗帯
【図１】
0003116679.tif 000003
【図２】
0003116679.tif 000004
【図３】
0003116679.tif 000005
【図４】
0003116679.tif 000006